(57)【要約】【課題】ピアスエレメントが板材から脱落し難く、製造工数の増加を抑制し、厚みが均一な溶接用部材を製造するピアスエレメントの打ち込み方法を提供する。【解決手段】ピアスエレメント１０の打ち込み方法は、板材２０と、ピアスエレメント１０と、先行パンチ５０と、ダイス４０とを準備し、板材２０をダイス４０の孔部４１の上に配置し、板材２０上であって孔部４１に対応する位置上に、ピアスエレメント１０と先行パンチ５０とを順に上方から下方へ配置し、ピアスエレメント１０を下方へ押圧することによって先行パンチ５０を介して板材２０を打ち抜き、打抜片２１を孔部４１から下方へ落下させ、板材２０の打ち抜きに続いて、ピアスエレメント１０を板材２０に埋め込むように打ち込むとともに板材２０をくびれ部１４に噛み込ませ、先行パンチを孔部４１から下方へ落下させることを含む。【選択図】図４
2019072731.tif 000002
【特許請求の範囲】
【請求項１】
金属製の板材と、
上部と、下部と、前記上部および前記下部を繋ぎ、前記上部および前記下部よりも平面視において小さな連結部とを有し、前記上部の下面、前記下部の上面、および前記連結部の側面によってくびれ部が画定され、前記板材の厚み以下の厚みを有するピアスエレメントと、
前記下部よりも平面視において大きな先行パンチと、
前記先行パンチよりも平面視において大きな孔部を有するダイスと
を準備し、
前記板材を前記ダイスの前記孔部の上に配置し、
前記板材上であって前記孔部に対応する位置上に、前記ピアスエレメントと前記先行パンチとを順に上方から下方へ配置し、
前記ピアスエレメントを下方へ押圧することによって前記先行パンチを介して前記板材を打ち抜くとともに、前記ピアスエレメントを前記板材に埋め込むように打ち込み、
前記打ち込みにおける前記板材の塑性変形に起因して前記板材が前記くびれ部に噛み込むことで前記ピアスエレメントを前記板材に固定する
ことを含む、ピアスエレメントの打ち込み方法。
【請求項２】
前記板材を打ち抜く際、前記ピアスエレメントをエレメントホルダによって保持した状態で、前記エレメントホルダを下方へ押圧することによって、前記ピアスエレメントを下方へ押圧する、請求項１に記載のピアスエレメントの打ち込み方法。
【請求項３】
前記板材の打ち抜き前、前記先行パンチは、前記ピアスエレメントの直下において前記ピアスエレメントと、前記ピアスエレメントを前記板材に打ち込んだ際に破壊される強度の橋渡部を介して接続されており、
前記板材の打ち抜き時の負荷によって前記橋渡部を破壊し、前記先行パンチを前記ピアスエレメントから分離する、請求項１または請求項２に記載のピアスエレメントの打ち込み方法。
【請求項４】
前記板材の打ち抜き前、前記先行パンチは前記ピアスエレメントに電磁力で吸着されており、
前記板材の打ち抜き後、前記電磁力を解除することによって前記先行パンチを前記ピアスエレメントから分離する、請求項１から請求項３のいずれか１項に記載のピアスエレメントの打ち込み方法。
【請求項５】
前記板材の打ち抜き後、押し具によって前記先行パンチを前記孔部から下方へ押し出して落下させる、請求項１から請求項４のいずれか１項に記載のピアスエレメントの打ち込み方法。
【請求項６】
前記下部は、前記上部よりも平面視において小さい、請求項１から請求項５のいずれか１項に記載のピアスエレメントの打ち込み方法。
【請求項７】
上部と、下部と、前記上部および前記下部を繋ぎ、前記上部および前記下部よりも平面視において小さな連結部とを有し、前記上部の下面、前記下部の上面、および前記連結部の側面によってくびれ部が画定された本体と、
前記本体の直下に配置され、前記下部よりも平面視において大きな先行パンチと、
前記下部と前記先行パンチとを、板材に打ち込んだ際に破壊される強度で接続する橋渡部と
を備える、エレメント複合体。
【請求項８】
板材と、
上部と、下部と、前記上部および前記下部を繋ぎ、前記上部および前記下部よりも平面視において小さな連結部とを有し、前記上部の下面、前記下部の上面、および前記連結部の側面によってくびれ部が画定され、前記板材の厚み以下の厚みを有するピアスエレメントと
を備え、
前記ピアスエレメントは、前記板材に埋め込まれ、前記くびれ部において前記板材を噛み込むことで前記板材に固定されている、溶接用部材。
【発明の詳細な説明】
【技術分野】
【０００１】
本発明は、ピアスエレメントの打ち込み方法、エレメント複合体、および溶接用部材に関する。
【背景技術】
【０００２】
２つの金属部材を接合する方法の一つとして、エレメントアークスポット溶接と称する方法が知られている。エレメントアークスポット溶接では、一方の金属部材に設けた孔部に他方の金属部材と同種の金属製の介在部品を装着し、この介在部品と他方の金属部材とをアークスポット溶接する。即ち、エレメントアークスポット溶接は、介在部品を介して間接的に２つの金属部材を一体化する技術である。有利なことに、エレメントアークスポット溶接は、２つの金属部材を直接溶接せず介在部品を介して溶接するため、一般に接合困難とされる異種金属の接合が可能である。
【０００３】
例えば、特許文献１には、エレメントアークスポット溶接法の一例として、鋼製ピアスメタル（介在部品）を用いたスポット溶接によって、鋼製部材とアルミニウム合金部材とを接合する方法が開示されている。この方法では、まず、アルミニウム合金部材を溶接に適した態様に加工する。具体的には、アルミニウム合金部材に孔部を形成し、鋼製ピアスメタルをこの孔部に装着することで、アルミニウム合金部材を溶接用部材に加工する。次に、溶接用部材の鋼製ピアスメタルと鋼製部材とをスポット溶接する。
【先行技術文献】
【特許文献】
【０００４】
【特許文献１】特開２０１３−２２６２２号公報
【発明の概要】
【発明が解決しようとする課題】
【０００５】
特許文献１に開示されているエレメントアークスポット溶接には、上記の溶接用部材を形成する際に３つの課題がある。第１に、アルミニウム合金部材の孔部に鋼製ピアスメタルを取り付けた状態で溶接前に運搬すると、鋼製ピアスメタルは固定されていないためアルミニウム合金部材から脱落するおそれがある。第２に、アルミニウム合金部材に孔部を予め設ける必要があるため、通常の溶接に比べて工数が増加する。第３に、鋼製ピアスメタルがアルミニウム合金部材に完全に埋め込まれていないため、アルミニウム合金部材の表面に鋼製ピアスメタルが突出しており、部分的に厚みが増加しているため、溶接用部材としての汎用性を欠く。
【０００６】
本発明は、介在部品（ピアスエレメント）が板材から脱落し難く、製造工数の増加を抑制し、厚みが均一な溶接用部材を製造するピアスエレメントの打ち込み方法を提供することを課題とする。また、この方法に適したエレメント複合体を提供することを課題とする。また、ピアスエレメントが脱落し難く、製造工数の増加を抑制し、厚みが均一な溶接用部材を提供することを課題とする。
【課題を解決するための手段】
【０００７】
本発明の第１の態様は、金属製の板材と、上部と、下部と、前記上部および前記下部を繋ぎ、前記上部および前記下部よりも平面視において小さな連結部とを有し、前記上部の下面、前記下部の上面、および前記連結部の側面によってくびれ部が画定され、前記板材の厚み以下の厚みを有するピアスエレメントと、前記下部よりも平面視において大きな先行パンチと、前記先行パンチよりも平面視において大きな孔部を有するダイスとを準備し、前記板材を前記ダイスの前記孔部の上に配置し、前記板材上であって前記孔部に対応する位置上に、前記ピアスエレメントと前記先行パンチとを順に上方から下方へ配置し、前記ピアスエレメントを下方へ押圧することによって前記先行パンチを介して前記板材を打ち抜くとともに、前記ピアスエレメントを前記板材に埋め込むように打ち込み、前記打ち込みにおける前記板材の塑性変形に起因して前記板材が前記くびれ部に噛み込むことで前記ピアスエレメントを前記板材に固定することを含む、ピアスエレメントの打ち込み方法を提供する。
【０００８】
この構成によれば、上記３つの課題を克服してピアスエレメントを板材に打ち込むことができる。具体的には、第１に、ピアスエレメントを板材に打ち込んだ際、板材がこのくびれ部内に塑性流動し、ピアスエレメントが板材を噛み込むため、ピアスエレメントを板材に固定できる。従って、ピアスエレメントが板材から脱落することを防止できる。第２に、板材を打ち抜く工程と、板材にピアスエレメントを打ち込む工程とを同時に行うことができるため、ピアスエレメントを装着するための孔部を板材に予め設ける必要がない。このとき、打ち抜いた板材の打抜片は、ダイスの孔部を通じて下方へ落下する。従って、製造工数の増加を抑制できる。第３に、ピアスエレメントの厚みが板材の厚み以下であり、板材にピアスエレメントを埋め込むように打ち込むため、板材の表面にピアスエレメントが突出せず、厚みを均一にして、ピアスエレメントが打ち込まれた板材（溶接用部材）を形成できる。ここで、平面視とは、板材の主面に垂直な方向から見ることをいう。このとき、ピアスエレメントを板材に打ち込んだ後、先行パンチは、ダイスの孔部を通じて下方へ落下する。
【０００９】
前記板材を打ち抜く際、前記ピアスエレメントをエレメントホルダによって保持した状態で、前記エレメントホルダを下方へ押圧することによって、前記ピアスエレメントを下方へ押圧してもよい。
【００１０】
この構成によれば、エレメントホルダによってピアスエレメントを保持できるため、板材にピアスエレメントを安定して打ち込むことができる。
【００１１】
前記板材の打ち抜き前、前記先行パンチは、前記ピアスエレメントの直下において前記ピアスエレメントと、前記ピアスエレメントを前記板材に打ち込んだ際に破壊される強度の橋渡部を介して接続されており、前記板材の打ち抜き時の負荷によって前記橋渡部を破壊し、前記先行パンチを前記ピアスエレメントから分離してもよい。
【００１２】
この構成によれば、橋渡部によってピアスエレメントと先行パンチとを一体化できるため、ピアスエレメントと先行パンチとを打ち込み位置に配置することが容易となり、即ち位置決めが容易となる。また、ピアスエレメントを打ち込むまでピアスエレメントの直下に先行パンチを配置できる。仮に、先行パンチをピアスエレメントの直下に配置することなくピアスエレメントを板材に打ち込むと、バリが発生するおそれがある。これに対し、ピアスエレメントの直下に先行パンチを配置すると、先行パンチが先に板材を打ち抜き、板材に孔部を形成した状態でピアスエレメントを挿入できるため、上記バリの発生を抑制できる。このとき、通常の穿孔加工と同様に、先行パンチが板材を打ち抜く際にバリを発生させることは考えられるが、ダイスの孔部と先行パンチとの間のクリアランスをバリが発生し難い数値にすることでバリの発生を抑制できる。これにより、ピアスエレメントを板材に打ち込んだ際、ピアスエレメントと先行パンチとの間の接続が解かれ、ピアスエレメントと先行パンチとを分離できる。
【００１３】
前記板材の打ち抜き前、前記先行パンチは前記ピアスエレメントに電磁力で吸着されており、前記板材の打ち抜き後、前記電磁力を解除することによって前記先行パンチを前記ピアスエレメントから分離してもよい。
【００１４】
この構成によれば、ピアスエレメントを打ち込むまで先行パンチをピアスエレメントに電磁吸着させることができる。従って、前述と同様に、ピアスエレメントの直下に先行パンチを配置できるため、板材を打ち抜く際のバリの発生を抑制できる。特に、電磁力は吸着／分離の切り替えが容易であり、ピアスエレメントの打ち込み後に先行パンチをピアスエレメントから分離することが容易である。
【００１５】
前記板材の打ち抜き後、押し具によって前記先行パンチを前記孔部から下方へ押し出して落下させてもよい。
【００１６】
この構成によれば、先行パンチをダイスの孔部から落下させることが容易となる。特に、ダイスの孔部の径と、先行パンチの径とが近しい場合、先行パンチが孔部に詰まり、落下しないことも考えられるが、押し具によって先行パンチを下方へ押し出すことができるため、先行パンチを確実に落下させることができる。
【００１７】
前記下部は、前記上部よりも平面視において小さくてもよい。
【００１８】
この構成によれば、くびれ部への板材の塑性流動を促進でき、ピアスエレメントを板材に強く噛み込ませることができる。詳細には、ピアスエレメントを板材に打ち込んだ際、下部が平面視において比較的小さいため、板材が下部を乗り越えてくびれ部に塑性流動し易い。また、上部が平面視において比較的大きいため、くびれ部に塑性流動した板材が上部を乗り越え難くなっている。そのため、塑性流動した板材がくびれ部に残存し、ピアスエレメントが板材を強く噛み込んだ状態にできる。
【００１９】
本発明の第２の態様は、上部と、下部と、前記上部および前記下部を繋ぎ、前記上部および前記下部よりも平面視において小さな連結部とを有し、前記上部の下面、前記下部の上面、および前記連結部の側面によってくびれ部が画定された本体と、前記本体の直下に配置され、前記下部よりも平面視において大きな先行パンチと、前記下部と前記先行パンチとを、板材に打ち込んだ際に破壊される強度で接続する橋渡部とを備える、エレメント複合体を提供する。
【００２０】
この構成によれば、エレメント複合体を使用して板材を加工するとき、ピアスエレメントを板材に打ち込むと同時に先行パンチによって板材を打ち抜くことができる。従って、板材の加工工数の増加を抑制できる。また、くびれ部を設けたことによってピアスエレメントを板材に噛み込ませることができるため、ピアスエレメントを板材に打ち込んだ際に脱落し難くできる。また、橋渡部によって本体と先行パンチとを一体化しているため、エレメント複合体として一体に製造できる。また、橋渡部の強度は、ピアスエレメントを板材に打ち込んだ際、橋渡部が破壊される程度の強度である。これにより、ピアスエレメントを板材に打ち込んだ際、本体と先行パンチとの間の接続が解かれ、ピアスエレメントと先行パンチとを分離できる。
【００２１】
本発明の第３の態様は、板材と、上部と、下部と、前記上部および前記下部を繋ぎ、前記上部および前記下部よりも平面視において小さな連結部とを有し、前記上部の下面、前記下部の上面、および前記連結部の側面によってくびれ部が画定され、前記板材の厚み以下の厚みを有するピアスエレメントとを備え、前記ピアスエレメントは、前記板材に埋め込まれ、前記くびれ部において前記板材を噛み込むことで前記板材に固定されている、溶接用部材を提供する。
【００２２】
この構成によれば、前述の３つの課題を解決した溶接用部材を提供できる。即ち、ピアスエレメントが板材から脱落することを防止でき、製造工数の増加を抑制でき、厚みを均一にできる溶接用部材を提供できる。
【発明の効果】
【００２３】
本発明によれば、ピアスエレメントが板材から脱落し難く、製造工数の増加を抑制し、厚みが均一な溶接用部材を製造するピアスエレメントの打ち込み方法を提供できる。また、この方法に適したエレメント複合体を提供できる。また、ピアスエレメントが脱落し難く、製造工数の増加を抑制し、厚みが均一な溶接用部材を提供できる。
【図面の簡単な説明】
【００２４】
【図１】本発明の一実施形態に係るピアスエレメントの打ち込み方法の第１工程を示す断面図。
【図２】本発明の一実施形態に係るピアスエレメントの打ち込み方法の第２工程を示す断面図。
【図３】本発明の一実施形態に係るピアスエレメントの打ち込み方法の第３工程を示す断面図。
【図４】本発明の一実施形態に係るピアスエレメントの打ち込み方法の第４工程を示す断面図。
【図５】本発明の一実施形態に係るピアスエレメントの打ち込み方法の第５工程を示す断面図。
【図６】本発明の一実施形態に係るピアスエレメントの打ち込み方法の第６工程を示す断面図。
【図７】ピアスエレメントが打ち込まれた板材（溶接用部材）の断面図。
【図８】スポット溶接された接合体の断面図。
【図９】エレメント複合体の斜視図。
【図１０】エレメント複合体の正面図。
【図１１】エレメント複合体の側面図。
【図１２】エレメント複合体の平面図。
【図１３】エレメント複合体の下面図。
【図１４】エレメント複合体の断面図。
【図１５】図１０のＡ−Ａ線に沿った橋渡部の断面図。
【図１６】図１５の橋渡部の第１変形例を示す断面図。
【図１７】図１５の橋渡部の第２変形例を示す断面図。
【図１８】エレメント複合体の変形例を示す模式図。
【発明を実施するための形態】
【００２５】
以下、添付図面を参照して本発明の実施形態を説明する。
【００２６】
図１から図６は、一実施形態に係るピアスエレメント１０の打ち込み方法の第１から第６工程をそれぞれ示す断面図である。本実施形態では、これらの工程を経て、図７に示すように、ピアスエレメント１０が打ち込まれた板材２０（溶接用部材１）が製造される。また、図８に示すように、このようなピアスエレメント１０が打ち込まれた板材２０は、溶接によって、他の板材３０と一体化される。
【００２７】
図１に示すように、第１工程（準備工程）では、本実施形態に係るピアスエレメント１０の打ち込み方法に使用する各部材を準備する。具体的には、ダイス４０と、板材２０と、先行パンチ５０と、ピアスエレメント１０と、エレメントホルダ６０とを準備する。
【００２８】
ダイス４０は、プレス金型の受け型に対応し、上面が平坦であり、平面視円形の孔部４１を有している。本実施形態では、孔部４１の直径は、例えば１０．１ｍｍ程度である。また、孔部４１の形状は、円形に限定されず、先行パンチ５０およびピアスエレメント１０の形状に応じて変更され得る。
【００２９】
板材２０は、金属製であり、本実施形態では例えば５０００系ないし６０００系のアルミニウム合金製である。板材２０は、後述するように、ピアスエレメント１０に打ち抜かれることができる程度の厚みを有している。本実施形態では、板材２０の厚みは、例えば２．０ｍｍ程度である。
【００３０】
先行パンチ５０は、プレス金型の押し型に対応し、概ね円柱状であり、平面視においてダイス４０の孔部４１の径よりわずかに小さな径を有している。本実施形態のように板材２０がアルミニウム合金製の場合、先行パンチ５０と孔部４１との間のクリアランスは、板材２０の厚みの５％程度が好ましい。従って、本実施形態では、先行パンチ５０と孔部４１との間のクリアランスを０．１ｍｍ程度としている。このクリアランスによると、後述するように板材２０を打ち抜く際にバリの発生を抑制できる。この寸法関係から、本実施形態では、先行パンチ５０の直径は、例えば９．９ｍｍ程度となっている。
【００３１】
ピアスエレメント１０は、上部１１、下部１２、および上部１１と下部１２を繋ぐ連結部１３を有する。上部１１、下部１２、および連結部１３は、平面視においてそれぞれ同心の円形である。下部１２は上部１１よりも小径であり、連結部１３は下部１２よりも小径である。また、ピアスエレメント１０は、板材２０よりも薄い。本実施形態では、上部１１の直径は例えば１０．５ｍｍ程度であり、上部１１の高さは例えば０．８ｍｍ程度である。また、下部１２の直径は例えば９．７ｍｍ程度であり、下部１２の高さは例えば０．６ｍｍ程度である。また、連結部１３の直径は例えば９．３ｍｍ程度であり、連結部１３の高さは例えば０．６ｍｍ程度である。従って、本実施形態では、ピアスエレメント１０の高さは、２．０ｍｍ程度となり、板材２０の厚みと同じとなっている。ピアスエレメント１０がこのような形状を有することによって、上部１１の下面、下部１２の上面、および連結部１３の側面によってくびれ部１４が画定される。ピアスエレメント１０は、中央に、上部１１、下部１２、および連結部１３を貫通する貫通孔１５を有している。貫通孔１５は、後述するエレメントホルダ６０の凸部６２を挿入できる形状となっている。ピアスエレメント１０は、金属製であり、本実施形態では例えば鋼鉄製であり、後述する他の板材３０と同種金属であってかつ軟性であることが好ましい。
【００３２】
本実施形態では、先行パンチ５０とピアスエレメント１０は、橋渡部５１によって接続されている。橋渡部５１は、ピアスエレメント１０の貫通孔１５の周囲に３６０°連続的に延在する環状構造を有している（図１５参照）。本実施形態では、橋渡部５１の高さは例えば０．２ｍｍであり、橋渡部５１の径方向の厚みは例えば０．２ｍｍである。そのため、先行パンチ５０は、ピアスエレメント１０の直下に配置される。このような橋渡部５１は、後述するように板材２０の打ち抜き時の負荷によって破壊される程度の強度を有している。従って、ピアスエレメント１０を板材２０に打ち込んだ際、ピアスエレメント１０と先行パンチ５０との間の接続が解かれ、ピアスエレメント１０と先行パンチ５０とを分離できる。なお、橋渡部５１の形状は、平面視において、環状に限定されず、そのような環状を間欠的に分断させた形状、または柱状構造を所定間隔で複数設けた形状であってもよい（図１６，１７参照）。さらに言えば、橋渡部５１は必ずしも設ける必要はなく、先行パンチ５０とピアスエレメント１０は、分離されていてもよい。
【００３３】
第１工程（準備工程）では、前述のように先行パンチ５０とピアスエレメント１０とが一体となっており、この一体となった部品をエレメント複合体と称する。
【００３４】
エレメントホルダ６０は、円柱状の台部６１と、台部６１の下面中央から下方へ延びる凸部６２とを有している。凸部６２は、台部６１と同心であり、台部６１よりも小径の円柱状である。
台部６１と凸部６２には、同心軸方向にそれらを貫通する貫通孔６３が設けられている。貫通孔６３の内部には、ばね部材６４とエジェクタピン（押し具）６５が収容されている。エジェクタピン６５は、フランジ部６５ａと、フランジ部６５ａから下方へ延びるピン本体６５ｂとを備える。フランジ部６５ａは扁平な円柱状であり、ピン本体６５ｂは長い円柱状である。フランジ部６５ａは、平面視において、ピン本体６５ｂと同心に形成され、ピン本体６５ｂよりも大径である。貫通孔６３の下端部の径はピン本体６５ｂを通過させるがフランジ部６５ａを通過させない程度の大きさとなっている。従って、エジェクタピン６５は、ばね部材６４によって下方へ付勢されても、エレメントホルダ６０から下方へ抜け落ちない。
【００３５】
図２に示すように、第２工程（配置工程）では、板材２０をダイス４０の孔部４１の上に配置する。また、エレメントホルダ６０の凸部６２をピアスエレメント１０の貫通孔１５に挿入する。そして、板材２０上であってダイス４０孔部４１に対応する位置上に、エレメントホルダ６０とピアスエレメント１０と先行パンチ５０とを順に上方から下方へ配置する。
【００３６】
図３に示すように、第３工程（打ち抜き工程）では、ピアスエレメント１０をエレメントホルダ６０によって保持した状態でエレメントホルダ６０を下方へ移動させることで、ピアスエレメント１０を下方へ押圧する。これにより、先行パンチ５０を介して板材２０を打ち抜く。この打ち抜き時の負荷によって、橋渡部５１は破壊され、先行パンチ５０はピアスエレメント１０から分離される。
【００３７】
図４に示すように、第４工程（第１分離工程）では、第３工程で板材２０から打ち抜かれた打抜片２１を孔部４１から下方へ落下させる。
【００３８】
図５に示すように、第５工程（打ち込み工程）では、第３工程および第４工程の板材２０の打ち抜きおよび打抜片２１の分離に続いて、ピアスエレメント１０を板材２０に埋め込むように打ち込む。ここで、埋め込むようにとは、打ち込まれたピアスエレメント１０が板材２０の上下から突出しない態様のことをいう。本実施形態では、ピアスエレメント１０と板材２０の厚みが同じであるため、ピアスエレメント１０を板材２０に埋め込むことができる。ピアスエレメント１０が板材２０に打ち込まれると、板材２０がくびれ部１４に塑性流動し、ピアスエレメント１０が板材２０を噛み込んだ状態となる。これにより、ピアスエレメント１０が板材２０に固定される。
【００３９】
図６に示すように、第６工程（第２分離工程）では、先行パンチ５０を孔部４１から下方へ落下させる。このとき、先行パンチ５０は、エジェクタピン６５によって下方へ押し出されている。次いで、図７に示すように、エレメントホルダ６０をピアスエレメント１０から分離する。
【００４０】
図７に示すように、本実施形態のピアスエレメント１０の打ち込み方法によって形成された溶接用部材１では、ピアスエレメント１０が板材２０に埋め込まれており、上下面が平坦である。また、ピアスエレメント１０がくびれ部１４において板材２０を噛み込んでいる。
【００４１】
図８に示すように、溶接用部材１は、ピアスエレメント１０と同種金属（本実施形態では鋼鉄製）の他の板材３０と重ねて配置された状態で、ピアスエレメント１０と板材２０とがスポット溶接される。溶接の態様は、アーク溶接などであり得る。
【００４２】
図９から図１４は、本実施形態に使用されるエレメント複合体の斜視図、正面図、側面図、平面図、下面図、および断面図である。特に、背面図は、正面図と同一であるため、省略している。また、右側面図と左側面図は同一であるため、合わせて側面図として示している。さらに言えば、図１０と図１１に、正面図と側面図を分けて図示しているが、正面図と側面図は同一である。
【００４３】
また、図１５は、図１０のＡ−Ａ線に沿った橋渡部５１の断面図である。図１５に示すように、本実施形態では、橋渡部５１は、３６０°連続的に延在する環状構造を有している。ただし、橋渡部５１の形状はこれに限定されず、図１６および図１７に変形例を示すように、柱状構造の橋渡部５１を複数設けてもよい。
【００４４】
本実施形態によれば、下記の３つの効果を奏してピアスエレメント１０を板材２０に打ち込むことができる。具体的には、第１に、ピアスエレメント１０を板材２０に打ち込んだ際、板材２０がくびれ部１４内に塑性流動し、ピアスエレメント１０が板材２０を噛み込むため、ピアスエレメント１０を板材２０に固定できる。従って、ピアスエレメント１０が板材２０から脱落することを防止できる。第２に、板材２０を打ち抜く工程と、板材２０にピアスエレメント１０を打ち込む工程とを同時に行うことができるため、ピアスエレメント１０を装着するための孔部を板材２０に予め設ける必要がない。従って、製造工数の増加を抑制できる。第３に、ピアスエレメント１０の厚みが板材２０の厚み以下であり、板材２０にピアスエレメント１０を埋め込むように打ち込むため、板材２０の表面にピアスエレメント１０が突出せず、厚みを均一にして、ピアスエレメント１０が打ち込まれた板材２０（溶接用部材１）を形成できる。
【００４５】
また、本実施形態によれば、エレメントホルダ６０によってピアスエレメント１０を保持できるため、板材２０にピアスエレメント１０を安定して打ち込むことができる。
【００４６】
また、本実施形態によれば、橋渡部５１によるピアスエレメント１０と先行パンチ５０の一体化構造によって、ピアスエレメント１０と先行パンチ５０とを打ち込み位置に配置することが容易となり、即ち位置決めが容易となる。また、ピアスエレメント１０を打ち込むまでピアスエレメント１０の直下に先行パンチ５０を配置できる。仮に、先行パンチ５０をピアスエレメント１０の直下に配置することなくピアスエレメント１０を板材２０に打ち込むと、バリが発生するおそれがある。これに対し、ピアスエレメント１０の直下に先行パンチ５０を配置すると、先行パンチ５０が先に板材２０を打ち抜き、板材２０に孔部を形成した状態でピアスエレメント１０を挿入できるため、上記バリの発生を抑制できる。このとき、通常の穿孔加工と同様に、先行パンチ５０が板材２０を打ち抜く際に、バリを発生させることは考えられるが、ダイス４０の孔部４１と先行パンチ５０との間のクリアランスをバリが発生し難い数値にすることでバリの発生を抑制できる。
【００４７】
また、本実施形態によれば、エジェクタピン６５によって、先行パンチ５０をダイス４０の孔部４１から落下させることが容易となる。特に、ダイスの孔部の径と、先行パンチの径とが近しい場合、先行パンチが孔部に詰まり、落下しない可能性も考えられるが、押し具によって先行パンチを下方へ押し出すことができるため、先行パンチを確実に落下させることができる。
【００４８】
また、本実施形態によれば、くびれ部１４への板材２０の塑性流動を促進でき、ピアスエレメント１０を板材２０に強く噛み込ませることができる。詳細には、ピアスエレメント１０を板材２０に打ち込んだ際、下部１２が平面視において比較的小さいため、板材２０が下部１２を乗り越えてくびれ部１４に塑性流動し易い。また、上部１１が平面視において比較的大きいため、くびれ部１４に塑性流動した板材２０が上部１１を乗り越え難くなっている。そのため、塑性流動した板材２０がくびれ部１４に残存し、ピアスエレメント１０が板材２０を強く噛み込んだ状態にできる。
【００４９】
図１８に示すように、上記実施形態の変形例として、ピアスエレメント１０には貫通孔１５（図１等参照）が設けられておらず、有底の穴部１６が設けられていてもよい。この場合、溶接の態様は、アーク溶接またはレーザ溶接等であり得る。
【００５０】
また、先行パンチ５０を電磁力によってピアスエレメント１０に吸着させてもよい。具体的には、板材２０を打ち抜き前は、先行パンチ５０を電磁力によってピアスエレメント１０に吸着させ、板材２０の打ち抜き後は、電磁力を解除し、ピアスエレメント１０から先行パンチ５０を分離してもよい。
【００５１】
本変形例によれば、ピアスエレメント１０を打ち込むまで先行パンチ５０をピアスエレメント１０に電磁吸着させることができる。従って、前述と同様に、ピアスエレメント１０の直下に先行パンチ５０を配置できるため、板材２０を打ち抜く際のバリの発生を抑制できる。特に、電磁力は吸着／分離の切り替えが容易であり、ピアスエレメント１０の打ち込み後に先行パンチ５０をピアスエレメント１０から分離することが容易である。
【００５２】
以上より、本発明の具体的な実施形態および変形例について説明したが、本発明は上記形態に限定されるものではなく、この発明の範囲内で種々変更して実施することができる。例えば、各部材の材質は、上記に示したものに限定されず、任意の材料であり得る。また、各部材の平面視の形状は円形に限らず多角形状等、任意であり得る。
【符号の説明】
【００５３】
１  溶接用部材
１０  ピアスエレメント
１１  上部
１２  下部
１３  連結部
１４  くびれ部
１５  貫通孔
１６  穴部
２０  板材
２１  打抜片
３０  板材
４０  ダイス
４１  孔部
５０  先行パンチ
５１  橋渡部
６０  エレメントホルダ
６１  台部
６２  凸部
６３  貫通孔
６４  ばね部材
６５  エジェクタピン（押し具）
６５ａ  フランジ部
６５ｂ  ピン本体
【図１】
2019072731.tif 000003
【図２】
2019072731.tif 000004
【図３】
2019072731.tif 000005
【図４】
2019072731.tif 000006
【図５】
2019072731.tif 000007
【図６】
2019072731.tif 000008
【図７】
2019072731.tif 000009
【図８】
2019072731.tif 000010
【図９】
2019072731.tif 000011
【図１０】
2019072731.tif 000012
【図１１】
2019072731.tif 000013
【図１２】
2019072731.tif 000014
【図１３】
2019072731.tif 000015
【図１４】
2019072731.tif 000016
【図１５】
2019072731.tif 000017
【図１６】
2019072731.tif 000018
【図１７】
2019072731.tif 000019
【図１８】
2019072731.tif 000020